(57)【要約】【課題】  歯牙全体を斑なく漂白することが可能な歯牙漂白装置を提供することを目的とする。【解決手段】  歯牙漂白装置は、光透過性を有する弾性部材としての合成ゴムまたは合成樹脂から構成される本体１０と、本体１０に形成された歯牙挿入部１１ａおよび１１ｂと、本体１０の内部に向けて光を照射するＬＥＤ２０ａ、２０ｂ、２０ｃとを備える。この本体１０には、光拡散作用を有する粒子としてのチタン粒子が混合されている。また、本体１０の口内挿入時にける口外側の側面には、ミラーフィルム４０が貼付される。【選択図】        図７
2005058594.tif 000002
【特許請求の範囲】
【請求項１】
光拡散作用を有する粒子が混合された光透過性を有する弾性部材から成る本体と、
前記本体に形成され、歯牙の形状に対応する形状を有する、歯牙漂白組成物を塗布するための歯牙挿入部と、
前記本体の内部に向けて光を照射する光源と、
を備えることを特徴とする歯牙漂白装置。
【請求項２】
請求項１に記載の歯牙漂白装置において、
前記歯牙漂白組成物は、光触媒と過酸化尿素を発生する化合物とを含む歯牙漂白装置。
【請求項３】
請求項１または請求項２に記載の歯牙漂白装置において、
前記光源から前記本体外部に出射する光を歯牙挿入部に向けて反射する鏡面をさらに備える歯牙漂白装置。
【請求項４】
請求項１乃至請求項３のいずれかに記載の歯牙漂白装置において、
前記光源は、前記本体に埋設される複数のＬＥＤにより構成される歯牙漂白装置。
【請求項５】
請求項１乃至請求項４のいずれかに記載の歯牙漂白装置において、
前記本体の口内挿入時における口内側に、前記光源の電力源となる電池が付設される歯牙漂白装置。
【発明の詳細な説明】
【技術分野】
【０００１】
この発明は、歯牙に沈着した有色素を分解することにより歯牙を漂白する歯牙漂白装置に関する。
【背景技術】
【０００２】
歯牙の漂白を行うための装置として、例えば特許文献１に記載されている装置がある。特許文献１には、紫外線照射器と、この紫外線照射器より照射される紫外線を導出させる光ファイバー束と、内部に歯牙の差込溝を有し、かつ、光伝導体で構成される歯牙の嵌着器と、紫外線遮断材質で構成された前記嵌着器の外側カバーとからなる装置が記載されている。なお、この光ファイバー束には、フィルターを通して紫外線が導出されるため、人体に有害な波長がカットされている。
【０００３】
この装置を使用する場合には、二酸化チタンと過酸化水素水等の溶液等の光触媒を含む漂白剤組成物を歯牙に塗布した後、歯牙を差込溝に差し込む。そして、紫外線照射器より光ファイバー束を通して嵌着器内に送り込まれた紫外線を光伝導体を通して歯牙に照射することにより、歯牙の漂白が行われる。
【特許文献１】特開２００２−３０６５１５号公報
【発明の開示】
【発明が解決しようとする課題】
【０００４】
しかしながら、特許文献１に記載されるような装置では、差込溝に差し込んだ歯牙全体に斑ができないように紫外線を行き渡らせることは困難である。
【０００５】
この発明は、以上のような問題を解決するためになされたものであり、歯牙全体を斑なく漂白することが可能な歯牙漂白装置を提供することを目的とする。
【課題を解決するための手段】
【０００６】
請求項１に記載の発明は、光拡散作用を有する粒子が混合された光透過性を有する弾性部材から成る本体と、前記本体に形成され、歯牙の形状に対応する形状を有する、歯牙漂白組成物を塗布するための歯牙挿入部と、前記本体の内部に向けて光を照射する光源とを備えることを特徴とする。
【０００７】
請求項２に記載の発明は、請求項１に記載の歯牙漂白装置において、前記歯牙漂白組成物は、光触媒と過酸化尿素を発生する化合物とを含む。
【０００８】
請求項３に記載の発明は、請求項１または請求項２に記載の歯牙漂白装置において、前記光源から前記本体外部に出射する光を歯牙挿入部に向けて反射する鏡面をさらに備える。
【０００９】
請求項４に記載の発明は、請求項１乃至請求項３のいずれかに記載の歯牙漂白装置において、前記光源は、前記本体に埋設される複数のＬＥＤにより構成される。
【００１０】
請求項５に記載の発明は、請求項１乃至請求項４のいずれかに記載の歯牙漂白装置において、前記本体の口内挿入時における口内側に、前記光源の電力源となる電池が付設される。
【発明の効果】
【００１１】
請求項１に記載の発明によれば、光拡散作用を有する粒子が混合された光透過性を有する弾性部材から成る本体と、本体に形成され、歯牙の形状に対応する形状を有する、歯牙漂白組成物を塗布するための歯牙挿入部と、本体の内部に向けて光を照射する光源とを備えることから、歯牙全体を斑なく漂白することが可能となる。
【００１２】
請求項２に記載の発明によれば、歯牙漂白組成物は、光触媒と過酸化尿素を発生する化合物とを含むことから、過酸化水素を使用する場合と比較して歯肉等の損傷を抑えることが可能となる。
【００１３】
請求項３に記載の発明によれば、光源から本体外部に出射する光を歯牙挿入部に向けて反射する鏡面をさらに備えることから、より多くの光を歯牙漂白組成物全体に行き渡らせることが可能となる。
【００１４】
請求項４に記載の発明によれば、光源は、本体に埋設される複数のＬＥＤにより構成されることから、より多くの光を光拡散作用を有する粒子に衝突させ、この光を様々な方向へ拡散させることが可能となる。
【００１５】
請求項５に記載の発明によれば、本体の口内挿入時における口内側に、光源の電力源となる電池が付設されることから、本体を本体の外へと延びるリード線等と接続する必要がなく、操作性を向上させることが可能となる。
【発明を実施するための最良の形態】
【００１６】
以下、この発明の第１実施形態に係る歯牙漂白装置について図に基づいて説明する。図１はこの発明の第１実施形態に係る歯牙漂白装置の斜視図である。また、図２はその正面図、図３はその上面図、図４はその背面図である。さらに、図５は図２におけるＡ−Ａ断面を示す断面図、図６は図２におけるＢ−Ｂ断面を示す断面図である。
【００１７】
この発明の第１実施形態に係る歯牙漂白装置は、本体１０と、本体１０に形成された歯牙挿入部１１ａおよび１１ｂと、本体１０の内部に向けて光を照射するＬＥＤ２０ａ、２０ｂ、２０ｃとを備える。
【００１８】
本体１０は、光透過性を有する弾性部材としての合成ゴムまたは合成樹脂から構成される。この本体１０には、光拡散作用を有する粒子としてのチタン粒子が混合されている。
【００１９】
また、本体１０には、歯牙挿入部１１ａ、１１ｂと、支持部１２とが形成されている。さらに、本体１０の口内挿入時にける口外側の側面には、ミラーフィルム４０が貼付される。
【００２０】
歯牙挿入部１１ａは、上部の歯牙の形状に対応する形状を有する。また、歯牙挿入部１１ｂは、下部の歯牙の形状に対応する形状を有する。
【００２１】
支持部１２は、歯牙挿入部１１ａと歯牙挿入部１１ｂとの間に位置する。この支持部１２には、本体１０の口内挿入時における口外側にＬＥＤ２０ａ、２０ｂが埋設され、本体１０の口内挿入時における口内側にＬＥＤ２０ｃが埋設されている。
【００２２】
図６に示すように、ＬＥＤ２０ａとＬＥＤ２０ｂとは、歯牙挿入時において、歯牙挿入部１１における歯列方向の略中央に対して対称の位置に埋設される。また、ＬＥＤ２０ｃは、歯牙挿入時において、歯牙挿入部１１における歯列方向の略中央に埋設される。そして、ＬＥＤ２０ａ、２０ｂ、２０ｃは、リード線により図示しない電源と接続される。
【００２３】
図７は、この発明の第１実施形態に係る歯牙漂白装置の口内挿入時における断面を示す説明図である。
【００２４】
以上に説明したこの発明の第１実施形態に係る歯牙漂白装置を使用する場合には、まず本体１０における歯牙挿入部１１全域に歯牙漂白組成物としての過酸化尿素／酸化チタン複合混合溶液３０を塗布しておく。そして、本体１０を口内に挿入し、歯牙挿入部１１ａおよび歯牙挿入部１１ｂにそれぞれ上部の歯牙および下部の歯牙を挿入する。
【００２５】
その後、ＬＥＤ２０ａ、２０ｂ、２０ｃを発光させる。このＬＥＤ２０ａ、２０ｂ、２０ｃから出射した光は、本体１０を構成するチタン粒子に衝突し、様々な方向へ拡散される。このため、ＬＥＤ２０ａ、２０ｂ、２０ｃから出射した光は、歯牙挿入部１１全域に塗布される過酸化尿素／酸化チタン複合混合溶液３０全体に行き渡る。また、ミラーフィルム４０の作用により、ＬＥＤ２０ａ、２０ｂ、２０ｃから本体１０の外部に出射する光が歯牙挿入部１１ａ、１１ｂに向けて反射される。このため、より多くの光を過酸化尿素／酸化チタン複合混合溶液３０全体に行き渡らせることができる。
【００２６】
過酸化尿素／酸化チタン複合混合溶液３０に光が照射された場合には、過酸化尿素／酸化チタン複合混合溶液３０中の光触媒としての酸化チタンの作用により過酸化尿素から活性酸素が発生する。この活性酸素が歯牙の有色素を分解し、無色のビタミン類に変化させることにより、歯牙が漂白される。
【００２７】
なお、以上のように歯牙漂白組成物として過酸化尿素を使用する場合には、過酸化水素を使用する場合と比較して歯肉等の損傷を抑えることが可能となる。
【００２８】
次に、この発明の第２実施形態に係る歯牙漂白装置について図に基づいて説明する。なお、上述した第１実施形態に係る歯牙漂白装置と同様の部材については、同一の符号を付して詳細な説明を省略する。
【００２９】
図８は、この発明の第２実施形態に係る歯牙漂白装置の斜視図であり、図９はその正面図である。また、図１０は図９におけるＡ−Ａ断面を示す断面図、図１１は図９におけるＢ−Ｂ断面を示す断面図である。さらに、図１２は、この発明の第２実施形態に係る歯牙漂白装置の口内挿入時における断面を示す説明図である。
【００３０】
第１実施形態に係る歯牙漂白装置は、ＬＥＤ２０が本体１０の外部の電源に接続されているのに対し、第２実施形態に係る歯牙漂白装置は、電池５０が本体１０の内部に配設されている点で異なる。
【００３１】
この本体１０の支持部１２には、ＬＥＤ２０ｃよりもさらに本体１０の口内挿入時にける口内側に電池５０が埋設され、本体１０の口内挿入時にける口外側の側面の略中央に電池５０をＯＮ／ＯＦＦ切替するための切替スイッチ６０が配設される。そして、ＬＥＤ２０ａ、２０ｂ、２０ｃと電池５０とは、それぞれ本体１０内部で接続される。このため、本体１０を本体１０の外へと延びるリード線等と接続する必要がなく、操作性が向上する。
【００３２】
なお、図８乃至図１２においては、図示を省略しているが、電池５０は本体１０に形成された取出部を介して交換可能となっている。
【００３３】
次に、この発明の第３実施形態に係る歯牙漂白装置について図に基づいて説明する。なお、上述した第１、第２実施形態に係る歯牙漂白装置と同様の部材については、同一の符号を付して詳細な説明を省略する。
【００３４】
図１３は、この発明の第３実施形態に係る歯牙漂白装置の正面図である。また、図１４は図１３におけるＡ−Ａ断面を示す断面図、図１５は図１３におけるＢ−Ｂ断面を示す断面図である。さらに、図１６は、この発明の第３実施形態に係る歯牙漂白装置の口内挿入時における断面を示す説明図である。
【００３５】
第２実施形態に係る歯牙漂白装置は、電池５０をＯＮ／ＯＦＦ切替するための切替スイッチ６０を本体１０の口内挿入時にける口外側の側面の略中央に配設しているのに対し、第３実施形態に係る歯牙漂白装置は、電池をＯＮ／ＯＦＦ切替するための切替スイッチ７０を本体１０内に埋設している点で異なる。
【００３６】
この切替スイッチ７０は、歯牙挿入時の支持部１２における歯牙の先端が当接する部分に埋設される。そして、切替スイッチ７０は、歯列方向と垂直方向に加圧／減圧されることによりＯＮ／ＯＦＦ切替される。
【００３７】
この発明の第３実施形態に係る歯牙漂白装置を使用する場合には、過酸化尿素／酸化チタン複合混合溶液３０を塗布した本体１０を口内に挿入し、歯牙挿入部１１ａおよび歯牙挿入部１１ｂにそれぞれ上部の歯牙および下部の歯牙を挿入した後、上部の歯牙と下部の歯牙とにより支持部１２を押圧する。これにより、切替スイッチ７０が切り替えられ、ＬＥＤ２０ａ、２０ｂ、２０ｃが発光する。このため、歯牙漂白装置の電源の入力動作が簡易なものとなる。
【００３８】
なお、以上に説明した実施形態においては、何れも、本体１０は、チタン粒子を混合した部材から成るものとしているが、チタン粒子の代わりにガラス粒子やその他の光拡散作用を有する粒子を使用してもよい。
【００３９】
また、以上に説明した実施形態においては、何れも、歯牙漂白組成物の光触媒として酸化チタン、歯牙漂白組成物として過酸化尿素を使用することとしているが、これらの代わりに歯牙漂白組成物の光触媒として酸化チタン以外の光触媒を使用することとしてもよく、歯牙漂白組成物として、過酸化水素、過ホウ酸塩、過炭酸塩、過硫酸塩、過リン酸塩、過酸化カルシウム、過酸化マグネシウムおよび過酸化尿素からなる群から選ばれる少なくとも１種の過酸化物等の過酸化水素を発生する化合物を使用することとしてもよい。
【００４０】
また、以上に説明した実施形態においては、何れも、予め歯牙漂白組成物を塗布した歯牙挿入部に歯牙を挿入することとしているが、予め歯牙漂白組成物を塗布した歯牙を歯牙挿入部に挿入することとしてもよい。
【００４１】
さらに、以上に説明した実施形態においては、何れも、光源として３個のＬＥＤを使用することとしているが、光源として単数または３個以外の複数の発光体を使用することとしてもよい。
【図面の簡単な説明】
【００４２】
【図１】この発明の第１実施形態に係る歯牙漂白装置の斜視図である。
【図２】この発明の第１実施形態に係る歯牙漂白装置の正面図である。
【図３】この発明の第１実施形態に係る歯牙漂白装置の上面図である。
【図４】この発明の第１実施形態に係る歯牙漂白装置の背面図である。
【図５】図２におけるＡ−Ａ断面を示す断面図である。
【図６】図２におけるＢ−Ｂ断面を示す断面図である。
【図７】この発明の第１実施形態に係る歯牙漂白装置の口内挿入時における断面を示す説明図である。
【図８】この発明の第２実施形態に係る歯牙漂白装置の斜視図である。
【図９】この発明の第２実施形態に係る歯牙漂白装置の正面図である。
【図１０】図９におけるＡ−Ａ断面を示す断面図である。
【図１１】図９におけるＢ−Ｂ断面を示す断面図である。
【図１２】この発明の第２実施形態に係る歯牙漂白装置の口内挿入時における断面を示す説明図である。
【図１３】この発明の第３実施形態に係る歯牙漂白装置の正面図である。
【図１４】図１３におけるＡ−Ａ断面を示す断面図である。
【図１５】図１３におけるＢ−Ｂ断面を示す断面図である。
【図１６】この発明の第３実施形態に係る歯牙漂白装置の口内挿入時における断面を示す説明図である。
【符号の説明】
【００４３】
１０      本体
１１ａ    歯牙挿入部
１１ｂ    歯牙挿入部
１２      支持部
２０ａ    ＬＥＤ
２０ｂ    ＬＥＤ
２０ｃ    ＬＥＤ
３０      過酸化尿素／酸化チタン複合混合溶液
４０      ミラーフィルム
５０      電池
６０      切替スイッチ
７０      切替スイッチ
【図１】
2005058594.tif 000003
【図２】
2005058594.tif 000004
【図３】
2005058594.tif 000005
【図４】
2005058594.tif 000006
【図５】
2005058594.tif 000007
【図６】
2005058594.tif 000008
【図７】
2005058594.tif 000009
【図８】
2005058594.tif 000010
【図９】
2005058594.tif 000011
【図１０】
2005058594.tif 000012
【図１１】
2005058594.tif 000013
【図１２】
2005058594.tif 000014
【図１３】
2005058594.tif 000015
【図１４】
2005058594.tif 000016
【図１５】
2005058594.tif 000017
【図１６】
2005058594.tif 000018